(57)【要約】【課題】端末から得られる温度情報を利用して温度調整を行う際の作業者の作業負担を軽減すること。【解決手段】前記端末から受信した前記端末温度情報に基づき、前記空調装置による温度調整の影響を受ける前記端末に対して当該影響を示す空調影響情報を対応付けた空調影響テーブルを作成するとともに、当該空調影響テーブルに基づき推定される前記端末が存在するエリアに当該端末を対応付ける対応テーブルを作成する制御部と、前記空調影響テーブルおよび前記対応テーブルを参照して、前記エリアに対応する前記端末から受信した端末温度情報に基づき温度を変更すべき前記空調装置として特定された空調装置に対して、温度調整を制御するための温度制御信号を生成する空調コントロール信号制御部と、を備える。【選択図】図１
2011169485.tif 000002
【特許請求の範囲】
【請求項１】
空気の温度を調整する空調装置と、端末と、前記空調装置および前記端末に対して通信可能に接続されているサーバとを含む温度制御システムであって、
前記端末は、
温度を計測する温度計測部を備え、当該温度計測部によって計測された温度を示す端末温度情報を前記サーバに送信する端末通信部を備え、
前記サーバは、
前記端末から受信した前記端末温度情報に基づき、前記空調装置による温度調整の影響を受ける前記端末に対して当該影響を示す空調影響情報を対応付けた空調影響テーブルを作成するとともに、当該空調影響テーブルに基づき推定される前記端末が存在するエリアに当該端末を対応付ける対応テーブルを作成する制御部と、
前記空調影響テーブルおよび前記対応テーブルを参照して、前記エリアに対応する前記端末から受信した端末温度情報に基づき温度を変更すべき前記空調装置として特定された空調装置に対して、温度調整を制御するための温度制御信号を生成する空調コントロール信号制御部と、
前記温度制御信号を対応する前記空調装置に送信するサーバ送信部と、
を備えることを特徴とする温度制御システム。
【請求項２】
前記サーバは、
前記空調装置によって温度調整がなされる各エリアの最適温度と当該エリアとを対応付けるエリア温度テーブルを参照して、各エリアに対応する前記端末から受信した前記端末温度情報に基づき、前記空調装置が調整する温度を決定することを特徴とする請求項１に記載の温度制御システム。
【請求項３】
前記サーバは、
前記端末から送信される端末温度情報に基づき、前記空調装置の温度調整による追従性を判断し、前記端末に対して温度調整による影響を与える前記空調装置に応じた前記エリアを、前記端末が存在するエリアと推定して、当該エリアに当該端末を対応付ける対応テーブルを更新することを特徴とする請求項１あるいは２に記載の温度制御システム。
【請求項４】
空気の温度を調整する空調装置および端末に対して通信可能に接続されている温度制御装置であって、
前記端末の温度計測部によって計測された温度を示す端末温度情報を受信する受信部と、
前記端末から受信した前記端末温度情報に基づき、前記空調装置による温度調整の影響を受ける前記端末に対して当該影響を示す空調影響情報を対応付けた空調影響テーブルを作成するとともに、当該空調影響テーブルに基づき推定される前記端末が存在するエリアに当該端末を対応付ける対応テーブルを作成する制御部と、
前記空調影響テーブルおよび前記対応テーブルを参照して、前記エリアに対応する前記端末から受信した端末温度情報に基づき温度を変更すべき前記空調装置として特定された空調装置に対して、温度調整を制御するための温度制御信号を生成する空調コントロール信号制御部と、
前記温度制御信号を対応する前記空調装置に送信する送信部と、
を備えることを特徴とする温度制御装置。
【発明の詳細な説明】
【技術分野】
【０００１】
本発明は、例えば室内の温度を調整する空調装置を制御する温度制御システムおよび温度制御装置に関する。
【背景技術】
【０００２】
例えば、スーパーマーケット等の室内に設置される電子棚札によって周囲の温度が計測され、この温度を示す温度情報に基づき、店内の温度制御を行うものがある（例えば、特許文献１参照）。
【先行技術文献】
【特許文献】
【０００３】
【特許文献１】特開２００９−７４７２３号公報
【発明の概要】
【発明が解決しようとする課題】
【０００４】
しかしながら、この電子棚札は、商品名やその価格等の商品に関連する情報を表示する棚札として利用され、店内には相当数の当該電子棚札が取り付けられる場合がある。上述のように、電子棚札によって計測される温度情報を利用して室内の温度調整を行う場合、各電子棚札が室内の何処に設置されているのかを把握する必要がある。
これら電子棚札の設置位置を把握するため、例えば、各電子棚札に割り振られている識別子をハンディ端末から読み取り、この識別子に店内における位置を示す情報（例えば、各商品棚を示す識別子）を対応付けて管理サーバに送信して、この対応関係を示すテーブル等を作成する方法がある。このような作業は、例えば店員等によってなされるため、店員等の作業負担が増える問題がある。
また、電子棚札は、商品名やその価格等の商品に関連する情報を表示しており、この商品の陳列場所が変更された場合、当該電子棚札もこの商品とともに移動されるおそれがある。この場合、電子棚札を移動するたびに、当該電子棚札を示す識別子と店内の位置を示す情報とを対応付けなければならず、店員等の作業負担がさらに増大する問題がある。
【０００５】
本発明は、上記問題を解決すべくなされたもので、その目的は、端末から得られる温度情報を利用して温度調整を行う際の作業者の作業負担を軽減することができる温度制御システムおよび温度制御装置を提供することにある。
【課題を解決するための手段】
【０００６】
上記問題を解決するために、本発明は、空気の温度を調整する空調装置と、端末と、前記空調装置および前記端末に対して通信可能に接続されているサーバとを含む温度制御システムであって、前記端末は、温度を計測する温度計測部を備え、当該温度計測部によって計測された温度を示す端末温度情報を前記サーバに送信する端末通信部を備え、前記サーバは、前記端末から受信した前記端末温度情報に基づき、前記空調装置による温度調整の影響を受ける前記端末に対して当該影響を示す空調影響情報を対応付けた空調影響テーブルを作成するとともに、当該空調影響テーブルに基づき推定される前記端末が存在するエリアに当該端末を対応付ける対応テーブルを作成する制御部と、前記空調影響テーブルおよび前記対応テーブルを参照して、前記エリアに対応する前記端末から受信した端末温度情報に基づき温度を変更すべき前記空調装置として特定された空調装置に対して、温度調整を制御するための温度制御信号を生成する空調コントロール信号制御部と、前記温度制御信号を対応する前記空調装置に送信するサーバ送信部と、を備えることを特徴とする。
【０００７】
また、本発明は、上記発明において、前記サーバが、前記空調装置によって温度調整がなされる各エリアの最適温度と当該エリアとを対応付けるエリア温度テーブルを参照して、各エリアに対応する前記端末から受信した前記端末温度情報に基づき、前記空調装置が調整する温度を決定することを特徴とする。
【０００８】
また、本発明は、上記発明において、前記サーバが、前記端末から送信される端末温度情報に基づき、前記空調装置の温度調整による追従性を判断し、前記端末に対して温度調整による影響を与える前記空調装置に応じた前記エリアを、前記端末が存在するエリアと推定して、当該エリアに当該端末を対応付ける対応テーブルを更新することを特徴とする。
【０００９】
また、上記問題を解決するために、本発明は、空気の温度を調整する空調装置および端末に対して通信可能に接続されている温度制御装置であって、前記端末の温度計測部によって計測された温度を示す端末温度情報を受信する受信部と、前記端末から受信した前記端末温度情報に基づき、前記空調装置による温度調整の影響を受ける前記端末に対して当該影響を示す空調影響情報を対応付けた空調影響テーブルを作成するとともに、当該空調影響テーブルに基づき推定される前記端末が存在するエリアに当該端末を対応付ける対応テーブルを作成する制御部と、前記空調影響テーブルおよび前記対応テーブルを参照して、前記エリアに対応する前記端末から受信した端末温度情報に基づき温度を変更すべき前記空調装置として特定された空調装置に対して、温度調整を制御するための温度制御信号を生成する空調コントロール信号制御部と、前記温度制御信号を対応する前記空調装置に送信する送信部と、を備えることを特徴とする。
【発明の効果】
【００１０】
この本発明によれば、端末から得られる温度情報を利用して温度調整を行う際の作業者の作業負担を軽減することができる。
【図面の簡単な説明】
【００１１】
【図１】第１実施形態にかかる温度制御システムの一例を示すブロック図である。
【図２】第１実施形態にかかる電子棚札端末の一例を示す概略図である。
【図３】第１実施形態における電子棚札端末の設置例を示す概略図である。
【図４】第１実施形態における電子棚札端末と空調装置との関係を説明するための図である。
【図５】第１実施形態にかかる電子棚札端末の構成の一例を示すブロック図である。
【図６】第１実施形態にかかるＥＳＬサーバの構成の一例を示すブロック図である。
【図７】第１実施形態にかかるＥＳＬサーバに保持されているデータの一例を示す図である。
【図８】図７に示すデータを作成するための図である。
【図９】第１実施形態にかかる空調のエリアマップの一例を示す図である。
【図１０】第１実施形態にかかるＥＳＬサーバに保持されているデータの他の例を示す図である。
【図１１】第１実施形態にかかるＥＳＬサーバに保持されているデータの他の例を示す図である。
【図１２】第１実施形態にかかるＥＳＬサーバに保持されているデータの他の例を示す図である。
【図１３】第１実施形態にかかるＥＳＬサーバに保持されているデータの他の例を示す図である。
【図１４】第１実施形態にかかるＥＳＬサーバに保持されているデータの他の例を示す図である。
【図１５】第１実施形態にかかるＥＳＬサーバに保持されているデータの他の例を示す図である。
【図１６】第１実施形態にかかるＥＳＬサーバに保持されているデータの他の例を示す図である。
【図１７】第１実施形態にかかるＥＳＬサーバに保持されているデータの他の例を示す図である。
【図１８】第１実施形態にかかる空調装置の構成の一例を示すブロック図である。
【図１９】第１実施形態にかかる初期設定時の処理フローについて説明するためのフローチャートである。
【図２０】第１実施形態にかかる運用時の処理フローについて説明するためのフローチャートである。
【図２１】第１実施形態にかかる運用時の処理フローについて説明するためのフローチャートである。
【図２２】異なる実施形態にかかる空調影響テーブルの一例を示す図である。
【発明を実施するための形態】
【００１２】
以下、本発明の一実施形態に係る温度制御システムについて図面を参照して説明する。
［第１実施形態］
図１は、本実施形態に係る温度制御システムの構成の一例を示すブロック図である。ここでは、スーパーマーケット等の販売店で利用される電子棚札端末を利用して店内の温度を制御する温度制御システムの一例について説明する。しかし、本発明はこれに限られず、例えば室内に設けられた端末を利用して空気の温度を制御するものであればよい。
【００１３】
図１に示す通り、温度制御システムは、電子棚札端末１と、ＥＳＬ（  Ｅｌｅｃｔｒｏｎｉｃ  Ｓｈｅｌｆ  Ｌａｂｅｌ  ）サーバ２と、中継機３と、空調装置４と、ＰＯＳ（  Ｐｏｉｎｔ  ｏｆ  ｓａｌｅｓ  ）サーバ５を備える。
【００１４】
図１を参照して、まず、本実施形態に係る温度制御システムの各構成の関係性について説明する。
ＥＳＬサーバ２は、有線あるいは無線で通信可能に接続されているＰＯＳサーバ５から、商品名や価格等を含む商品に関する情報（以下、商品情報という）を受信して、商品情報を示す画像データを作成し、中継機３に送信する。
この中継機３は、ＥＳＬサーバ２および電子棚札端末１と有線あるいは無線で通信可能に接続されている複数の中継機３１〜３３を含む。中継機３は、通信エリア内にある電子棚札端末１に対して、ＥＳＬサーバ２から受信したデータ（例えば、画像データ）を転送して、当該電子棚札端末１から当該転送したデータに応じた応答データを受信し、この応答データをＥＳＬサーバ２に転送する。
この電子棚札端末１は、複数の電子棚札端末Ｔ（１）、Ｔ（２）、・・・、Ｔ（ｎ−１）、Ｔ（ｎ）を含み、中継機３を介してＥＳＬサーバ２から送信された画像データを受信して、この画像データを受信したことを示す応答データを中継機３を介してＥＳＬサーバ２に送信する。なお、これら電子棚札端末Ｔ（１）、Ｔ（２）、・・・、Ｔ（ｎ−１）、Ｔ（ｎ）には、それぞれを識別するための固有の識別子（以下、棚札ＩＤという）が割り当てられており、ここでは、ｎに示す番号を棚札ＩＤとする。
【００１５】
また、ＥＳＬサーバ２は、有線あるいは無線で通信可能に空調装置４と接続されており、例えば電子棚札端末１から受信した応答データに基づき、空調装置４に対して温度制御を指示する温度制御信号を送信する。
この空調装置４は、ＥＳＬサーバ２から受信した温度制御信号に基づき、空気の温度を制御する。
また、空調装置４は、複数の空調装置ＫＴ（１）、ＫＴ（２）、・・・、ＫＴ（ｍ）を含み、ここでは、ｍ＝４の例について、以下説明する。なお、これら空調装置ＫＴ（１）、ＫＴ（２）、・・・、ＫＴ（ｍ）には、それぞれを識別するための固有の識別子（以下、空調ＩＤという）が割り当てられており、ここでは、ｍに示す番号を空調ＩＤとする。
【００１６】
なお、無線通信としては、無線ＬＡＮ（  Ｌｏｃａｌ  Ａｒｅａ  Ｎｅｔｗｏｒｋ  ）、近距離無線方式（例えば、ＩＥＥＥ８０２．１５．４）等の無線ネットワークを用いて、互いにデータ通信を行うことができる。本実施形態では、電子棚札端末１と中継機３との間で、近距離無線方式による無線ネットワークを用いることにより、電子棚札端末１を小型化および長電池寿命化することができ、電子棚札端末１と中継機３との間の通信速度を高速化することができる。
【００１７】
次に、本実施形態に係る温度制御システムの各構成の利用形態の一例について説明する。
図２は、電子棚札端末１の外装の一例について説明する概略図である。図２に示す通り、電子棚札端末１は、表示部を備え、この表示部にＥＳＬサーバ２から受信した画像データを表示する。例えば電子棚札端末１は、各商品の商品名やその価格等を示す画面、棚札番号や当該電子棚札端末１が設置される商品の種類あるいはコーナーの説明を示す画面、もしくは、特売商品をアピールする広告を掲載する画面を表示する。
【００１８】
図３は、電子棚札端末１が設置される商品棚の一例を示す概略図である。図３に示す通り、商品棚には、各商品が陳列されており、この商品の付近や商品棚の任意の場所に、電子棚札端末１が取り付けられている。なお、この電子棚札端末１は、商品棚に陳列されている商品の移動等に応じて、あるいは、店頭での商品展開の状況に応じて、例えば店員によって移動可能に取り付けられている。
【００１９】
図４は、電子棚札端末１と空調装置４との配置関係の一例を示す図である。図４に示す通り、店内には、例えば商品棚Ａ〜Ｊが配置されており、この商品棚Ａ〜Ｊには、図３に示した通り、複数の電子棚札端末１が着脱可能に取り付けられている。
また、店内は、予め決められた複数のレイアウトＬ１〜Ｌ９で仮想的に分割されており、商品棚Ａ，ＢがレイアウトＬ１，Ｌ４に、商品棚Ｃ，ＤがレイアウトＬ２，Ｌ５に、商品棚Ｅ，ＦがレイアウトＬ３，Ｌ６に、商品棚Ｇ，ＨがレイアウトＬ７，Ｌ８に、商品棚Ｉ，ＪがレイアウトＬ８，Ｌ９に、それぞれ配置されている。
一方、空調装置４は、空調装置ＫＴ（１）がレイアウトＬ１に、空調装置ＫＴ（２）がレイアウトＬ３に、空調装置ＫＴ（３）がレイアウトＬ７に、空調装置ＫＴ（４）がレイアウトＬ９に、それぞれ取り付けられている。
【００２０】
次に、本実施形態に係る温度制御システムの各構成について詳細に説明する。
図５は、電子棚札端末１の構成の一例を示すブロック図である。図５に示す通り、電子棚札端末１は、制御部１１と、表示部１２と、電源（電池）１３と、温度計測部（温度センサー）１４と、記憶部１５と、無線通信部１６とを含む。
制御部１１は、小型電子棚札端末１が備える各部の制御を統括的に行う。表示部１２は、液晶表示装置などであり、ＥＳＬサーバ２から受信した画像データに基づき、商品の名前や商品の価格などを表示する。電源１３は、小型電子棚札端末１が備える各部に電力を供給する。温度計測部１４は、周囲の空気の温度を計測する温度センサーであって、計測した温度を示す温度情報（以下、端末温度情報という）を無線通信部１６に出力する。記憶部１３は、小型電子棚札端末１の各部が処理の途中で使用するデータを一時記憶する。無線通信部１６は、中継機３を介して、ＥＳＬサーバ２とデータの送受信を行う。
この無線通信部１６は、例えば、ＥＳＬサーバ２から送信される画像データを受信して、表示部１２に出力するとともに、この画像データを受信したことを示す応答データとともに、温度計測部１４によって検出された端末温度情報をＥＳＬサーバ２に送信する。
【００２１】
図６は、ＥＳＬサーバ２の構成の一例を示すブロック図である。図６に示す通り、ＥＳＬサーバ２は、制御部２１と、通信部２２と、空調コントロール信号制御部２３と、計時部２４と、記憶部２５とを含む。
制御部２１は、ＥＳＬサーバ２が備える各部の制御を統括的に行う。通信部２１は、中継機３を介して、電子棚札端末１とデータの送受信を行うとともに、ネットワークを介して接続される空調装置４およびＰＯＳサーバ５とデータの送受信を行う。空調コントロール信号制御部２３は、電子棚札端末１から受信された端末温度情報に基づき、記憶部２５を参照して、空調装置４に送信する温度制御信号を生成し、通信部２２を介して、該当する空調装置４に対して送信する。計時部２４は、現在時刻を計時して、この時刻を示す時刻情報を出力する。
【００２２】
記憶部２５は、空調コントロール信号制御部２３において温度制御信号を生成するための情報や、通信部２２を介して受信した端末温度情報に計時部２４によって計時された時刻情報を対応付けた情報を記憶する。この記憶部２５は、例えば、空調影響テーブル２５１と、レイアウトパターンテーブル２５２と、エリア影響テーブル２５３と、棚札対応レイアウトテーブル２５４と、エリア対応棚札テーブル２５５と、エリア温度テーブル２５６と、空調コントロールテーブル２５７と、端末温度保持テーブル２５８と、空調温度保持テーブル２５９を含む。
【００２３】
以下、記憶部２５に記憶されている情報について、図７〜１７を参照して、詳細に説明する。
図７は、空調影響テーブル２５１の一例を示す図である。図７に示す通り、空調影響テーブル２５１は、各電子棚札端末１を示す棚札ＩＤに、各電子棚札端末１が温度変化の影響を受ける空調装置４とその影響の程度を示す情報（以下、空調影響情報という）を対応付けるテーブルである。なお、ここでは、空調装置４から受ける影響の程度を２段階で示し、各空調装置４に対して、受ける影響が強い電子棚札端末１には空調影響情報「１」が、受ける影響が弱い電子棚札端末１には空調影響情報「０」が、それぞれ対応付けられている。しかし本発明はこれに限られず、空調装置４から受ける影響の程度を２段階以上の段階で示すものであってもよい。
【００２４】
この空調影響テーブル２５１は、例えば、以下のような方法により作成することができる。
例えば、以下に詳細に説明する通り（図１９参照）、初期設定時の処理により、各空調装置４を１台ずつ順次運転させて、当該空調装置４から温度調整の影響を受ける電子棚札端末１を検出する方法で作成されるものであってもよい。
例えば、ＥＳＬサーバ２が、空調装置ＫＴ（１）のみに対して、温度を５度上昇させる温度制御信号を送信し、空調装置ＫＴ（１）のみが運転して温度調整を行う。また、ＥＳＬサーバ２は、温度調整を行う前に各電子棚札端末１によって検出される端末温度情報を収集する。
一定時間経過後、ＥＳＬサーバ２は、各電子棚札端末１から再び端末温度情報を収集し、温度調整前後における温度変化を算出する。ＥＳＬサーバ２は、この温度変化が閾値以上であった場合、当該電子棚札端末１を空調装置ＫＴ（１）の温度調整により影響を受けた電子棚札端末１として決定し、空調影響テーブル２５１において、当該電子棚札端末１の行に対する空調装置ＫＴ（１）の列に空調影響情報「１」を対応付ける。
このようにして、各空調装置ＫＴ（２）〜ＫＴ（４）に対して、温度調整により影響を受けた電子棚札端末１を決定して、空調影響テーブル２５１を作成することができる。
【００２５】
また、電子棚札端末１が取り付けられている商品棚が予めわかっている場合、図９に示すように、空調装置４からの温度調整の影響を受ける程度を示す空調エリアマップに基づき、各電子棚札端末１に対して温度変化の影響を与える空調装置４を決定することができる。このエリアマップは、空調装置ＫＴ（１）〜ＫＴ（４）から温度調整の影響を受けやすいエリアを統計的あるいは予測的に決定し、空調影響区域イ〜ワとする。
例えば、空調影響区域イは、空調装置ＫＴ（１）〜ＫＴ（４）の全ての影響を受ける区域であるため、ここの区域に設置される電子棚札端末Ｔ（４）に対しては、空調装置ＫＴ（１）〜ＫＴ（４）からの温度調整の影響を強く受けることを示す空調影響情報「１」を対応付ける。このようにして、空調影響区域イ〜ワに対応する電子棚札端末１に対して、空調装置４からの影響に応じた空調影響情報を対応づけることにより、空調影響テーブルを作成することができる。
【００２６】
図１０は、レイアウトパターンテーブル２５２の一例を示す図である。図１０に示す通り、レイアウトパターンテーブル２５２は、空調装置ＫＴ（１）〜ＫＴ（４）のそれぞれから温度調整の影響を受けるレイアウトＬ１〜Ｌ９を示すテーブルであって、影響を与える空調装置ＫＴ（１）〜ＫＴ（４）の組み合わせをレイアウトＬ１〜Ｌ９に対応付けるテーブルである。
この空調装置ＫＴ（１）〜ＫＴ（４）の組み合わせは、例えば、図１０に示すように空調影響区域イ〜ワにおいて空調装置ＫＴ（１）〜ＫＴ（４）からの影響が推定される組み合わせである。一例でいうと、空調エリアマップにおける空調影響区域リは、空調装置ＫＴ（２）と空調装置ＫＴ（４）から温度調整の影響を受けるエリアであって、このエリアに対応するレイアウトＬ６の行に対して、空調装置ＫＴ（２）および空調装置ＫＴ（４）に対して対空調影響情報「１」を対応付ける。
なお、このレイアウトパターンテーブル２５２は、初期導入前（例えば、初期設定時の処理を行う前）に、例えば空調レイアウトマップに示すような空調装置ＫＴ（１）〜ＫＴ（４）と店内のレイアウトＬ１〜Ｌ９との関係に基づき、管理者により予め決められる。
【００２７】
図１１は、エリア影響テーブル２５３の一例を示す図である。図１１に示す通り、エリア影響テーブル２５３は、各空調装置４からの温度調整の影響を受けるエリアを示すテーブルであって、各空調装置ＫＴ（１）〜ＫＴ（４）のそれぞれに、これらからの温度調整の影響を受けるレイアウトＬ１〜Ｌ９の組み合わせを対応付けるテーブルである。
図示の通り、例えば、空調装置ＫＴ（１）は、レイアウトＬ１、Ｌ２、Ｌ４、Ｌ５に対して影響を与え、空調装置ＫＴ（２）は、レイアウトＬ２、Ｌ３、Ｌ５、Ｌ６に対して影響を与える。このように、レイアウトＬ１〜Ｌ９に応じて、複数の空調装置ＫＴ（１）〜ＫＴ（４）から影響を受け得る。
なお、このエリア影響テーブル２５３は、レイアウトパターンデータ２５２に含まれる情報に基づき、空調装置ＫＴ（１）〜ＫＴ（４）毎に、影響を与えるレイアウトＬ１〜Ｌ９の組み合わせを対応付けたテーブルである。
【００２８】
図１２は、棚札対応レイアウトテーブル２５４の一例を示す図である。図１２に示す通り、棚札対応レイアウトテーブル２５４は、各電子棚札端末１が存在すると推定される位置を示すテーブルであって、各電子棚札端末Ｔ（１）〜Ｔ（ｎ）に対して、存在すると推定されるレイアウトＬ１〜Ｌ９を対応付けるテーブルである。
この棚札対応レイアウトテーブル２５４は、例えば、以下のようにして作成される。
例えば、制御部２１によって、各電子棚札端末１から送信される端末温度情報に基づき、空調影響テーブルを参照して、空調装置４の温度調整による追従性が判断される。この制御部２１は、この空調装置４の温度調整に追従している電子棚札端末１を当該空調装置４による温度調整の影響を受ける電子棚札端末１と判断する。また、制御部２１は、レイアウトパターンテーブル２３５を参照して、電子棚札端末１に対して温度調整による影響を与える空調装置４に応じたレイアウトＬ１〜Ｌ９を、電子棚札端末１が存在するエリアと推定する。この制御部２１は、各レイアウトＬ１〜Ｌ９内に存在すると推定された電子棚札端末１に該当するレイアウトＬ１〜Ｌ９を対応付けて、棚札対応レイアウトテーブル２５４を作成することができる。詳細については、以下に説明する初期設定時の処理において説明する。
なお、この棚札対応レイアウトテーブル２５４は、空調影響テーブル２５１とレイアウトパターンテーブル２５２に含まれる情報に基づき、電子棚札端末Ｔ（１）〜Ｔ（ｎ）毎に、各電子棚札端末Ｔ（１）〜Ｔ（ｎ）が存在すると推定されるレイアウトＬ１〜Ｌ９を対応付けたテーブルである。
【００２９】
図１３は、エリア対応棚札テーブル２５５の一例を示す図である。図１３に示す通り、エリア対応棚札テーブル２５５は、各レイアウトＬ１〜Ｌ９に存在すると推定される電子棚札端末１を示すテーブルであって、各レイアウトＬ１〜Ｌ９に存在すると推定される電子棚札端末Ｔ（１）〜Ｔ（ｎ）を対応付けるテーブルである。
なお、このエリア対応棚札テーブル２５５は、棚札対応レイアウトテーブル２５４に含まれる情報に基づき、レイアウトＬ１〜Ｌ９毎に、存在すると推定される電子棚札端末１の組み合わせを対応付けたテーブルである。
【００３０】
図１４は、エリア温度テーブル２５６の一例を示す図である。図１４に示す通り、エリア温度テーブル２５６は、各レイアウトに応じて、ＥＳＬサーバ２が空調装置４に対して温度を制御する際に参照されるテーブルである。具体的にいう、図１４に示す通り、エリア温度テーブル２５６は、各レイアウトの適切な温度として予め決められている最適温度と、温度が変動していないとみなせる許容範囲を示す空調コントロール基準温度とを、各レイアウトＬ１〜Ｌ９に対応付けるテーブルである。
この最適温度は、例えば、店内において配置されている商品に応じて予め決められている。例えば、生鮮食品や冷凍食品等が配置されているエリアの最適温度は、パンやお菓子等の商品が配置されているエリアの最適温度に比べて低く設定されている。
この空調コントロール基準温度は、例えば、電子棚札端末１から受信した端末温度情報に基づき制御部２１によって当該電子棚札端末１の周辺の温度が変化したか否かを判断する際に、周辺温度が変化していないと判断する温度範囲を示す。つまり、電子棚札端末１から受信した端末温度情報と前回受信した温度との差分が空調コントロール基準温度を超えている場合、制御部２１は、周囲温度が変化したと判断する。
【００３１】
図１５は、空調コントロールテーブル２５７の一例を示す図である。図１５に示す通り、空調コントロールテーブル２５７は、各レイアウトＬ１〜Ｌ９に対して、後述する運用時の処理において算出したレイアウト調整温度情報を、それぞれ空調装置ＫＴ（１）〜ＫＴ（４）毎に対応付けたテーブルである。このレイアウト調整温度情報とは、各レイアウトＬ１〜Ｌ９に対応する電子棚札端末１から取得された端末温度情報の平均値と、エリア温度テーブル２５６において各レイアウトＬ１〜Ｌ９と対応付けられている適正温度との差分である。
【００３２】
図１６は、端末温度保持テーブル２５８の一例を示す図である。図１６に示す通り、端末温度保持テーブル２５８は、各電子棚札端末１を示す棚札ＩＤに、各電子棚札端末１によって取得された端末温度情報を、計時部２４によって計時された時刻情報毎に対応付けたテーブルである。この計時部２４によって計時された時刻情報は、例えば、電子棚札端末１に対して端末温度情報を送信することを要求するメッセージをＥＳＬサーバ２が電子棚札端末１に送信した時刻（ｔ１）、この時刻ｔ１から予め決められた時間（以下、棚札応答時間という）が経過した後に再び電子棚札端末１に対して端末温度情報の送信を要求した時刻（ｔ２）である。この棚札応答時間とは、周囲の温度変化に対して電子棚札端末１によって計測される温度が安定するまでの時間として予め決められている時間をいう。
また、端末温度保持テーブル２５８は、棚札応答時間経過後（ｔ２）において計測された端末温度情報から、棚札応答経過前（ｔ１）に計測された端末温度情報を減算して、温度変化量（ｔ２−ｔ１）を得て、電子棚札端末１毎に対応付けた情報を含む。
【００３３】
図１７は、空調温度保持テーブル２５９の一例を示す図である。図１７に示す通り、空調温度保持テーブル２５９は、計時部２４により計時された時刻情報に対して、空調装置４から受信した空調温度情報を、空調装置ＫＴ（１）〜ＫＴ（４）毎に対応付けたテーブルである。
【００３４】
次に、空調装置４の各構成について詳細に説明する。
図１８は、空調装置４の構成の一例を示すブロック図である。図１８に示す通り、空調装置４は、制御部４１と、通信部４２と、温度計測部（温度センサー）４３と、温度制御部４４と、温度調整部４５とを含む。
制御部４１は、空調装置４が備える各部の制御を統括的に行う。通信部４１は、ネットワークを介して、ＥＳＬサーバ２とデータの送受信を行い、ＥＳＬサーバ２から温度制御信号を受信して、温度計測部４３によって検出された温度情報をＥＳＬサーバ２に送信する。温度計測部４３は、周囲の空気の温度を計測する温度センサーであって、計測した温度を示す温度情報（空調温度情報という）を通信部４２に出力する。温度制御部４４は、ＥＳＬサーバ２から受信した温度制御信号および温度計測部４３によって計測された空調温度情報に基づき、周囲の空気が目標温度となるように温度調整部４５を制御する。温度調整部４５は、温度制御部４４によって制御され、温風あるいは冷風を放出する。
【００３５】
次に、本実施形態に係る温度制御システムにおける初期設定時の処理フローの一例について説明する。図１９は、本実施形態に係る温度制御システムにおける初期設定時の処理フローの一例について説明するためのフローチャートである。この初期設定時の処理フローとは、温度制御システムを利用する前に、端末が存在すると推定されるエリアに温度変化の影響を与える空調装置ＫＴ（１）〜ＫＴ（４）と電子棚札端末Ｔ（１）〜Ｔ（ｎ）とを対応付けるテーブル（ここでは、空調影響テーブル２５１）を作成するために行われる処理である。なお、この初期設定時の処理フローを実施する以前において、空調装置４は何れも動作していない状態とする。
【００３６】
図１９に示す通り、ＥＳＬサーバ２の制御部２１は、空調装置４のうちＫＴ（ｉ）｛ｉ＝１｝である空調装置ＫＴ（１）を選択する（ステップＳＴ１）。そして、制御部２１は、通信部２２を介して全ての電子棚札端末Ｔ（１）〜Ｔ（ｎ）に対して端末温度情報を送信することを要求する。これにより、全ての電子棚札端末Ｔ（１）〜Ｔ（ｎ）は、温度計測部１４において現在測定される温度を得て、この温度を示す端末温度情報に、各電子棚札端末１に割り振られている棚札ＩＤ（ｉｄｅｎｔｉｆｉｅｒ）を対応づけた情報をＥＳＬサーバ２に対して送信する。このとき、制御部２１は、各電子棚札端末１を示す棚札ＩＤに、受信した端末温度情報を対応付けた情報を、計時部２４によって計時された時刻情報毎に記憶部２５の端末温度保持テーブル２５８に書込む（ステップＳＴ２）。
なお、この時、計時部２４において予め決められた棚札応答時間が経過する前の時刻である時刻情報ｔ１が計時され、制御部２１は、時刻情報ｔ１において得られた端末温度情報を棚札ＩＤに対応づける情報を、端末温度保持テーブル２５８の１列に書き込む。
【００３７】
次いで、ＥＳＬサーバ２の空調コントロール信号制御部２３は、空調装置ＫＴ（１）に対して自身の電源をＯＮさせる制御信号を送信し、空調装置ＫＴ（１）の電源を入れる。そして、空調コントロール信号制御部２３は、空調装置ＫＴ（１）に対して空調温度情報を送信することを要求する。これにより、空調装置ＫＴ（１）は、温度計測部４３において現在測定される温度を得て、この温度を示す空調温度情報に当該空調装置ＫＴ（１）に割り振られている空調ＩＤを対応づけた情報をＥＳＬサーバ２に対して送信する。
このとき、制御部２１は、ステップＳＴ２において計時部２４により計時された時刻情報ｔ１に対して、空調装置ＫＴ（１）から受信した空調温度情報を対応付けた情報を、空調装置ＫＴ（１）〜ＫＴ（４）毎に記憶部２５の空調温度保持テーブル２５９に書込む（ステップＳＴ３）。
また、ＥＳＬサーバ２の空調コントロール信号制御部２３は、空調装置ＫＴ（１）に対して、例えば温度調整量Δｔの温度上昇あるいは下降を指示する温度制御情報を送信する。これにより、空調装置ＫＴ（１）は、温度調整部４５を駆動させ、温風あるいは冷風を放出する。
【００３８】
そして、ＥＳＬサーバ２は、計時部２４によって、時刻情報ｔ１で示される時刻から、予め決められた棚札応答時間が経過したか否かを判断する（ステップＳＴ４）。
時刻情報Ｔ１から棚札応答時間が経過したことが判断された場合、ＥＳＬサーバ２の空調コントロール信号制御部２３は、空調装置ＫＴ（１）に対して空調温度情報を送信することを要求する。これにより、空調装置ＫＴ（１）は、温度計測部４３において現在測定される温度を得て、この温度を示す空調温度情報に、当該空調装置ＫＴ（１）の空調ＩＤを対応づけた情報をＥＳＬサーバ２に対して送信する。そして、制御部２１は、計時部２４によって計時された時刻情報ｔ２に、受信した空調温度情報を対応付けた情報を、空調装置４毎に記憶部２５の空調温度保持テーブル２５８に書込む（ステップＳＴ５）。
【００３９】
次いで、制御部２１は、通信部２２を介して全ての電子棚札端末Ｔ（１）〜Ｔ（ｎ）に対して端末温度情報を送信することを要求する。これにより、全ての電子棚札端末Ｔ（１）〜Ｔ（ｎ）は、温度計測部１４において現在測定される温度を得て、この温度を示す端末温度情報に、各電子棚札端末１の棚札ＩＤを対応づけた情報をＥＳＬサーバ２に対して送信する。そして、制御部２１は、電子棚札端末１を示す棚札ＩＤに、受信した端末温度情報を対応付けた情報を、計時部２４によって計時された時刻情報ｔ２毎に記憶部２５の棚札温度保持テーブル２５９に書込む（ステップＳＴ６）。
【００４０】
そして、制御部２１は、記憶部２５の端末温度保持テーブル２５８を参照して、棚札応答時間経過後（時刻情報＝ｔ２）において計測された端末温度情報から、棚札応答経過前（時刻情報＝ｔ１）に計測された端末温度情報を減算して、温度変化量（ｔ２−ｔ１）を、全電子棚札端末Ｔ（１）〜Ｔ（ｎ）に対して算出する。そして、制御部２１は、得られた温度変化量（ｔ２−ｔ１）を、各電子棚札端末１の棚札ＩＤに対応付けて、端末温度保持テーブル２５８に書き込む。
次いで、制御部２１は、温度制御信号において空調装置ＫＴ（１）に対して指示した温度調整量Δｔに応じた変化量（以下、判断変化量という）を演算する（ステップＳＴ７）。ここで、判断変化量は、図８に示すように、温度調整量Δｔに係数ｋ（０＜ｋ＜１）を乗算した値であって、判断変化量ｋ・Δｔと示す。
【００４１】
そして、温度変化量（ｔ２−ｔ１）がこの判断変化量ｋ・Δｔ未満だった場合、制御部２１は、当該電子棚札端末１が空調装置ＫＴ（１）による影響が少ない電子棚札端末１であることを判断して、当該電子棚札端末１の棚札ＩＤに対して判断結果である空調影響情報「０」を対応付けて、空調影響テーブル２５１に書き込む。
一方、温度変化量（ｔ２−ｔ１）が判断変化量ｋ・Δｔ以上だった場合、制御部２１は、当該電子棚札端末１が空調装置ＫＴ（１）による影響が大きい電子棚札端末１であることを判断して、当該電子棚札端末１の棚札ＩＤに対して判断結果である空調影響情報「１」を対応付けて、空調影響テーブル２５１に書き込む（ステップＳＴ８）。
例えば、電子棚札端末Ｔ（１）の温度変化量（ｔ２−ｔ１）が、この判断変化量ｋ・Δｔ以上だった場合、空調影響テーブル２５１において、棚札ＩＤ「１」に対して、空調装置ＫＴ（１）からの影響が大きいことを示す空調影響情報「１」を対応付ける。
一方、電子棚札端末Ｔ（２）の温度変化量（ｔ２−ｔ１）が、この判断変化量ｋ・Δｔ未満だった場合、空調影響テーブル２５１において、棚札ＩＤ「２」に対して、空調装置ＫＴ（１）からの影響が小さいことを示す空調影響情報「０」を対応付ける。
【００４２】
そして、制御部２１は、全ての空調装置ＫＴ（１）〜ＫＴ（４）において、各電子棚札端末１に対応する空調影響情報が得られたか否か判断し（ステップＳＴ９）、得られていない場合、空調装置ＫＴ（ｉ）のｉに１に加算した空調ＩＤ（ｉ＝ｉ＋１）として（ステップＳＴ１０）、上述のステップＳＴ２〜８の処理を他の空調装置ＫＴ（２）〜ＫＴ（４）に対しても行う。
全ての空調装置ＫＴ（１）〜ＫＴ（４）に対応する電子棚札端末Ｔ（１）〜Ｔ（ｎ）の影響が判断された場合、空調影響テーブル２５１が完成する。
【００４３】
次いで、制御部２１は、電子棚札端末Ｔ（１）〜Ｔ（ｎ）あるいはレイアウトＬ１〜Ｌ９に対して温度変化における影響を与える空調装置ＫＴ（１）〜ＫＴ（４）と電子棚札端末Ｔ（１）〜Ｔ（ｎ）あるいはレイアウトＬ１〜Ｌ９との関係を示す情報（ここでは、空調影響テーブル２５１およびレイアウトパターンテーブル２５２、あるいは空調影響テーブル２５１およびエリア影響テーブル２５３）に基づき、電子棚札端末Ｔ（１）〜Ｔ（ｎ）に、各電子棚札端末Ｔ（１）〜Ｔ（ｎ）が存在すると推定されるレイアウトＬ１〜Ｌ９を対応付けた対応テーブルとして、棚札対応レイアウトテーブル２５４とエリア対応棚札テーブル２５５を作成する。
具体的にいうと、制御部２１は、空調影響テーブル２５１とエリア影響テーブル２５３とを参照して、棚札対応レイアウトテーブル２５４を作成する。つまり、制御部２１は、空調影響テーブル２５１において各電子棚札端末１に対応付けられている空調装置４が、エリア影響テーブル２５３において対応付けられているレイアウトＬ１〜Ｌ９を得る。そして、制御部２１は、この得られたレイアウトＬ１〜Ｌ９と、当該電子棚札端末１とを対応付けて棚札対応レイアウトテーブル２５４を作成する。
また、制御部２１は、棚札対応レイアウトテーブル２５４に含まれる情報に基づき、レイアウトＬ１〜Ｌ９毎に、各レイアウトＬ１〜Ｌ９に対応付けられている電子棚札端末１の組み合わせを対応付けてエリア対応棚札テーブル２５５を作成する（ステップＳＴ１１）。
【００４４】
このように、ＥＳＬサーバ２は、初期設定時において、各空調装置ＫＴ（１）〜ＫＴ（４）を１台ずつ動かして、各空調装置ＫＴ（１）〜ＫＴ（４）による温度調整の影響を受ける電子棚札端末１とその程度を示す空調影響情報を、レイアウトＬ１〜Ｌ９に対応付けて示すテーブルを作成することができる。
【００４５】
次に、本実施形態に係る温度制御システムにおける運用時の処理フローの一例について説明する。図２０は、本実施形態に係る温度制御システムにおける運用時の処理フローの一例について説明するためのフローチャートである。この運用時の処理フローとは、初期設定時の処理フローの後に、電子棚札端末１があると推定される位置が変更されたか否か判断するとともに、空調装置４に対して温度制御を行う処理である。
【００４６】
図２０に示す通り、制御部２１は、通信部２２を介して全ての電子棚札端末１に対して端末温度情報を送信することを要求する。各電子棚札端末１は、温度計測部１４において現在測定される温度を得て、この温度を示す端末温度情報に、各電子棚札端末１に割り振られている棚札ＩＤを対応づけた情報をＥＳＬサーバ２に対して送信する。そして、制御部２１は、電子棚札端末１を示す棚札ＩＤに、受信した端末温度情報を対応付けた情報を、計時部２４によって計時された時刻情報毎に記憶部２５の端末温度管理テーブル２５８に書込む（ステップＳＴ２１）。なお、この時、計時部２４において、棚札応答時間が経過する前の時刻である時刻情報ｔ３を計時し、この端末温度保持テーブル２５８の１列に時刻情報ｔ３において得られた端末温度情報を書き込む。
【００４７】
次いで、ＥＳＬサーバ２の制御部２１は、空調装置４のうちＫＴ（ｉ）｛ｉ＝１｝である空調装置ＫＴ（１）を選択する（ステップＳＴ２２）。
【００４８】
そして、制御部２１は、エリア対応棚札テーブル２５５を参照して、各レイアウトＬ１〜Ｌ９に対応付けられている電子棚札端末１の端末温度情報の平均値（以下、平均温度という）を演算する。例えば、制御部２１は、レイアウトＬ１に対応付けられている電子棚札端末Ｔ（１）、Ｔ（３）、Ｔ（５）、Ｔ（８）・・・のそれぞれから得られた端末温度情報に基づき、これら端末温度情報の平均温度を演算する（ステップＳＴ２３）。
なお、制御部２１は、この平均温度を算出する際、エリア対応棚札テーブル２５５において各レイアウトＬ１〜Ｌ９に対応付けられている電子棚札端末Ｔ（１）〜Ｔ（ｎ）のうち、ステップＳＴ２１において得られた端末温度情報が他の端末温度情報から外れているものを除くものであってもよい。例えば、制御部２１は、ステップＳＴ２１において得られた端末温度情報が示す温度のうち高い順から、エリア対応棚札テーブル２５５において各レイアウトＬ１〜Ｌ９に対応付けられている全ての電子棚札端末１のＸ％の電子棚札端末１を、ステップＳＴ２１において得られた端末温度情報が示す温度のうち低い順から、エリア対応棚札テーブル２５５において各レイアウトＬ１〜Ｌ９に対応付けられている全ての電子棚札端末１のＸ％の電子棚札端末１を除き、その他の電子棚札端末１に対応する端末温度情報の平均温度を算出する。
【００４９】
次いで、制御部２１は、エリア温度テーブル２５６を参照して、各レイアウトＬ１〜Ｌ９に対応する平均温度と、エリア温度テーブル２５６において各レイアウトＬ１〜Ｌ９と対応付けられている適正温度との差分（レイアウト調整温度情報という）を、レイアウトＬ１〜Ｌ９毎に算出する。そして、制御部２１は、このレイアウト調整温度情報が、エリア温度テーブル２５６において各レイアウトＬ１〜Ｌ９と対応付けられている空調コントロール基準温度を超えているか否かを判断する（ステップＳＴ２４）。
【００５０】
そして、ステップＳＴ２４において、このレイアウト調整温度情報が空調コントロール基準温度を超えている場合、制御部２１は、エリア影響テーブル２５３を参照して、レイアウト調整温度情報が空調コントロール基準温度を超えているレイアウトＬ１〜Ｌ９に対応付けられている空調装置４を特定する（ステップＳＴ２５）。
つまり、制御部２１は、この差分が空調コントロール基準温度を超えている場合、当該レイアウトＬ１〜Ｌ９に対応する空調装置ＫＴ（１）〜ＫＴ（４）に対して、温度制御をすべき対象であることを判断し、この空調装置４を特定する。
【００５１】
次いで、制御部２１は、ステップＳＴ２４において算出したレイアウト調整温度情報にレイアウトＬ１〜Ｌ９のそれぞれを対応づけた情報を、空調装置ＫＴ（１）〜ＫＴ（４）毎に、空調コントロールテーブル２５７に書き込み、この空調コントロールテーブル２５７を作成する（ステップＳＴ２６）。
【００５２】
そして、制御部２１は、レイアウトＬ１〜Ｌ９にレイアウト調整温度情報を対応付けた情報が、全ての空調装置ＫＴ（１）〜ＫＴ（４）に応じて、空調コントロールテーブル２５７に書き込まれたか否か判断する（ステップＳＴ２７）。
空調コントロールテーブル２５７において、全ての空調装置ＫＴ（１）〜ＫＴ（４）に応じた情報を、空調コントロールテーブル２５７に書き込まれていない場合、空調装置ＫＴ（ｉ）のｉに１に加算した空調ＩＤ（ｉ＝ｉ＋１）として（ステップＳＴ２８）、上述のステップＳＴ２３〜２６の処理を他の空調装置ＫＴ（２）〜ＫＴ（４）に対しても行う。
全ての空調装置ＫＴ（１）〜ＫＴ（４）に対応する電子棚札端末Ｔ（１）〜Ｔ（ｎ）の影響が判断され、全ての空調装置ＫＴ（１）〜ＫＴ（４）に応じた情報を、空調コントロールテーブル２５７に書き込まれた場合、空調コントロールテーブル２５７が完成する。
【００５３】
次に、図２１を参照して、図２０に示す運用時の処理フローの続きについて説明する。
図２１に示す通り、ＥＳＬサーバ２の制御部２１は、空調装置４のうちＫＴ（ｉ）｛ｉ＝１｝である空調装置ＫＴ（１）を選択する（ステップＳＴ２９）。そして、制御部２１は、空調コントロールテーブル２５７を参照して、空調装置ＫＴ（１）に対応する全てのレイアウトＬ１〜Ｌ９のレイアウト調整温度情報の示す温度の平均値を算出し、この平均値を温度調整量Δｔとする（ステップＳＴ３０）。
【００５４】
そして、空調コントロール信号制御部２３は、算出した温度調整量Δｔの温度上昇あるいは温度下降を指示する温度制御情報を生成し、通信部２２を介して、空調装置ＫＴ（１）に対して温度制御情報を送信する（ステップＳＴ３１）。これにより、空調装置ＫＴ（１）は、温度調整部４５を駆動させ、温風あるいは冷風を放出する。
【００５５】
次いで、制御部２１は、通信部２２を介して全ての電子棚札端末Ｔ（１）〜Ｔ（ｎ）に対して端末温度情報を送信することを要求する。これにより、全ての電子棚札端末Ｔ（１）〜Ｔ（ｎ）は、温度計測部１４において現在測定される温度を得て、この温度を示す端末温度情報に、各電子棚札端末１の棚札ＩＤを対応づけた情報をＥＳＬサーバ２に対して送信する。そして、制御部２１は、各電子棚札端末１を示す棚札ＩＤに、受信した端末温度情報を対応付けた情報を、計時部２４によって計時された時刻情報毎に記憶部２５の端末温度保持テーブル２５８に書込む（ステップＳＴ３２）。
なお、この時、計時部２４において予め決められた棚札応答時間が経過する前の時刻である時刻情報ｔ５が計時され、制御部２１は、時刻情報ｔ５において得られた端末温度情報を棚札ＩＤに対応づける情報を、端末温度保持テーブル２５８の１列に書き込む。
【００５６】
そして、ＥＳＬサーバ２は、計時部２４によって、時刻情報ｔ１で示される時刻から、予め決められた棚札応答時間が経過したか否かを判断する（ステップＳＴ３３）。
次いで、制御部２１は、通信部２２を介して全ての電子棚札端末Ｔ（１）〜Ｔ（ｎ）に対して端末温度情報を送信することを要求する。これにより、全ての電子棚札端末Ｔ（１）〜Ｔ（ｎ）は、温度計測部１４において現在測定される温度を得て、この温度を示す端末温度情報に、各電子棚札端末１の棚札ＩＤを対応づけた情報をＥＳＬサーバ２に対して送信する。そして、制御部２１は、各電子棚札端末１を示す棚札ＩＤに、受信した端末温度情報を対応付けた情報を、計時部２４によって計時された時刻情報毎に記憶部２５の端末温度保持テーブル２５８に書込む（ステップＳＴ３４）。
なお、この時、計時部２４において予め決められた棚札応答時間が経過する後の時刻である時刻情報ｔ６が計時され、制御部２１は、時刻情報ｔ６において得られた端末温度情報を棚札ＩＤに対応づける情報を、端末温度保持テーブル２５８の１列に書き込む。
【００５７】
そして、制御部２１は、記憶部２５の端末温度保持テーブル２５８を参照して、棚札応答時間経過後（時刻情報＝ｔ６）において計測された端末温度情報から、棚札応答経過前（時刻情報＝ｔ５）に計測された端末温度情報を減算して、温度変化量（ｔ６−ｔ５）を、全電子棚札端末Ｔ（１）〜Ｔ（ｎ）に対して算出する。そして、制御部２１は、得られた温度変化量（ｔ６−ｔ５）を、各電子棚札端末１の棚札ＩＤに対応付けて、端末温度保持テーブル２５８に書き込む。
次いで、制御部２１は、温度制御信号において空調装置ＫＴ（１）に対して指示した温度調整量Δｔに応じた変化量（判断変化量）ｋ・Δｔを演算する（ステップＳＴ３５）。
【００５８】
温度変化量（ｔ６−ｔ５）がこの判断変化量ｋ・Δｔ未満だった場合、制御部２１は、当該電子棚札端末１が空調装置ＫＴ（１）による影響が少ない電子棚札端末１であることを判断して、当該電子棚札端末１の棚札ＩＤに対して判断結果である空調影響情報「０」を対応付けて、空調影響テーブル２５１に書き込む。
一方、温度変化量（ｔ６−ｔ５）が判断変化量ｋ・Δｔ以上だった場合、制御部２１は、当該電子棚札端末１が空調装置ＫＴ（１）による影響が大きい電子棚札端末１であることを判断して、当該電子棚札端末１の棚札ＩＤに対して判断結果である空調影響情報「１」を対応付けて、空調影響テーブル２５１に書き込む（ステップＳＴ３６）。
例えば、電子棚札端末Ｔ（１）の温度変化量（ｔ６−ｔ５）が、この判断変化量ｋ・Δｔ以上だった場合、空調影響テーブル２５１において、棚札ＩＤ「１」に対して、空調装置ＫＴ（１）からの影響が大きいことを示す空調影響情報「１」を対応付ける。
一方、電子棚札端末Ｔ（２）の温度変化量（ｔ６−ｔ５）が、この判断変化量ｋ・Δｔ未満だった場合、空調影響テーブル２５１において、棚札ＩＤ「２」に対して、空調装置ＫＴ（１）からの影響が小さいことを示す空調影響情報「０」を対応付ける。
【００５９】
そして、制御部２１は、全ての空調装置ＫＴ（１）〜ＫＴ（４）において、各電子棚札端末１に対応する空調影響情報が得られたか否か判断し（ステップＳＴ３７）、得られていない場合、空調装置ＫＴ（ｉ）のｉに１に加算した空調ＩＤ（ｉ＝ｉ＋１）として（ステップＳＴ３７）、上述のステップＳＴ３０〜３６の処理を他の空調装置ＫＴ（２）〜ＫＴ（４）に対しても行う。
全ての空調装置ＫＴ（１）〜ＫＴ（４）に対応する電子棚札端末Ｔ（１）〜Ｔ（ｎ）の影響が判断された場合、空調影響テーブル２５１が更新される。
【００６０】
次いで、制御部２１は、空調影響テーブル２５１とエリア影響テーブル２５３とを参照して、棚札対応レイアウトテーブル２５４を作成する。つまり、制御部２１は、空調影響テーブル２５１において各電子棚札端末１に対応付けられている空調装置４が、エリア影響テーブル２５３において対応付けられているレイアウトＬ１〜Ｌ９を得る。そして、制御部２１は、この得られたレイアウトＬ１〜Ｌ９と、当該電子棚札端末１とを対応付けて棚札対応レイアウトテーブル２５４を作成する。
また、制御部２１は、棚札対応レイアウトテーブル２５４に含まれる情報に基づき、レイアウトＬ１〜Ｌ９毎に、各レイアウトＬ１〜Ｌ９に対応付けられている電子棚札端末１の組み合わせを対応付けてエリア対応棚札テーブル２５５を作成する（ステップＳＴ３８）。
【００６１】
このように、ＥＳＬサーバ２は、運用時において、各空調装置ＫＴ（１）〜ＫＴ（４）をそれぞれ動作させて、各空調装置ＫＴ（１）〜ＫＴ（４）による温度調整の影響を受ける電子棚札端末１とその程度を示す空調影響情報を、レイアウトＬ１〜Ｌ９に対応付けて示すテーブルを作成することができる。つまり、この処理を、例えば一定時間毎に繰り返し実行することにより、電子棚札端末１が移動された場合であっても、各レイアウトＬ１〜Ｌ９に対する空調装置ＫＴ（１）＝ＫＴ（４）毎の空調影響情報を得てレイアウトパターンテーブル２５２、棚札対応レイアウトテーブル２５４、およびエリア対応棚札テーブル２５５を更新することができる。また、レイアウトＬ１〜Ｌ９に空調装置ＫＴ（１）〜ＫＴ（４）に対して温度調整を制御するためのレイアウト調整温度情報を得て、空調コントロールテーブル２５７を作成することができる。
【００６２】
従って、電子棚札端末１が設置されている位置を把握するため、例えば、各電子棚札に割り振られている識別子をハンディ端末から読み取り、この識別子に店内の位置を示す情報（例えば、各商品棚を示す識別子）を対応付けて管理サーバに送信して、この対応関係を示すテーブル等を作成する必要がなくなる。これにより、作業者である店員等にかかる負担を軽減することができる。
また、電子棚札端末１は、商品名やその価格等の商品に関連する情報を表示しており、この商品の陳列場所が変更された場合、当該電子棚札もこの商品とともに移動されるおそれがある。この場合であっても、図２１に示す処理フローに従って、レイアウトパターンテーブル２５２、棚札対応レイアウトテーブル２５４、およびエリア対応棚札テーブル２５５を更新することによって、電子棚札端末１を移動したとしても、レイアウトＬ１〜Ｌ９に存在すると推定される電子棚札端末１を把握することができる。これにより、電子棚札端末１と店内の位置を示す情報とを対応付けるための作業が必要なくなり、店員等の作業負担を軽減することができる。
【００６３】
なお、本発明は上記実施形態に限られず、以下のようなものであってもよい。
例えば、空調影響テーブル２５１を作成する場合、棚札応答時間の前後の温度変化量（ｔ６−ｔ５）と判断変化量ｋ・Δｔとを比較して、当該電子棚札端末１が空調装置ＫＴ（１）による影響が少ない電子棚札端末１であるか、あるいは影響が大きい電子棚札端末１を判断するものに限られず、以下のような方法であってもよい。
この空調影響テーブル２５１と異なる空調影響テーブル２５１´を作成して、過去に得られた棚札応答時間の前後の温度変化量と空調影響情報を履歴として記憶しておくものであってもよい。
具体的に説明すると、図２２に示す通り、空調影響テーブル２５１は、履歴情報（１）［例えば、過去に得られた温度変化量（ｔ１１−ｔ１０）とこの時の空調影響情報「１」を含む情報］と、履歴情報（２）［例えば、過去に得られた温度変化量（ｔ１３−ｔ１２）とこの時の空調影響情報「１」を含む情報］と、履歴情報（３）［例えば、過去に得られた温度変化量（ｔ１５−ｔ１４）とこの時の空調影響情報「０」を含む情報］と、これら履歴情報（１）〜（３）の平均により得られる空調影響情報（ここでは、現在値という）とを、電子棚札端末１の棚札ＩＤに対応付けるテーブルである。
【００６４】
ここで、制御部２１が、この空調影響テーブル２５１´を参照して、履歴情報（１）〜（３）に含まれる温度変化量（ｔ１１−ｔ１０）、（ｔ１３−ｔ１２）、（ｔ１５−ｔ１４）の平均値を算出して、この平均値と判断変化量ｋ・Δｔとを比較して、当該電子棚札端末１が空調装置ＫＴ（１）による影響が少ない電子棚札端末１であるか、あるいは影響が大きい電子棚札端末１を判断するものであってもよい。
このように、履歴情報を利用して、当該電子棚札端末１が空調装置ＫＴ（１）による影響が少ない電子棚札端末１であるか、あるいは影響が大きい電子棚札端末１を判断することができる。これにより、電子棚札端末１が動かされて位置が変更された場合であっても、その都度、電子棚札端末１が温度変化の影響を受ける空調装置ＫＴ（１）〜ＫＴ（４）を判断して、空調影響テーブル２５１において電子棚札端末１に対応付けられている空調影響情報を変更しなくてもよい。よって、空調装置４から温度調整の影響を受ける電子棚札端末１と空調装置４との関係性の判断を、安定させることができる。
【００６５】
また、ＥＳＬサーバ２は、空調影響テーブル２５１として、商品棚に対して移動不可能に取り付けられた代表電子棚札端末に空調影響情報を対応付けた代表空調影響テーブルと、その他の移動可能に取り付けられた非代表電子棚札端末に空調影響情報を対応付けた非代表空調影響テーブルとを含むものであってもよい。
この代表空調影響テーブルは、上述の空調影響テーブル２５１と同様にして作成される。
また、非代表空調影響テーブルは、温度変化量と判断変化量ｋ・Δｔとの差分変動が代表電子棚札端末と近似している非代表電子棚札端末を、代表電子棚札端末の付近に存在すると推定して、当該代表電子棚札端末と同じ空調装置ＫＴ（１）〜ＫＴ（４）に応じた空調影響情報を、当該代表電子棚札端末の付近に存在すると推定される非代表電子棚札端末に対応付けて作成される。
これにより、非代表電子棚札端末が存在すると推定される位置を、移動しない代表電子棚札端末を基準として推定することができる。よって、店内のおおよその室内温度を代表電子棚札端末から取得して、空調装置４に対してフィードバック制御をかけるとともに、非代表電子棚札端末から取得した温度情報に基づき、より細かい店内の室内温度の状況を把握して、空調装置４に対するフィードバック制御を行うことができる。
【００６６】
なお、本発明は、上記の各実施形態に限定されるものではなく、本発明の趣旨を逸脱しない範囲で変更可能である。
例えば、上記の実施形態では、スーパーマーケットやコンビニエンスストア等の小売店の商品棚に取り付けられる電子棚札端末を例に説明したが、本発明は、電子棚札端末に限られるものではなく、小売店で販売される商品等の情報以外の情報を表示する情報表示装置として用いてもよい。
例えば、倉庫等において、保管物を保管しておく棚や、保管物を収めた箱や、保管物自体に付けて、その保管物の内容について電子的に情報を表示するラベルや札として用いてもよい。
【００６７】
また、銀行等の書類を扱う業務において、用紙置き場に配置し、用紙の説明や残り枚数を表示する表示装置として用いてもよい。また、さらに、工場等において、作業員への作業指示を表示するパネルや部品を置く棚に付けて、部品の分類等の情報を電子的に表示するラベルや札として用いてもよい。
【００６８】
さらに、上述の電子棚札端末１やＥＳＬサーバ２は内部に、コンピュータシステムを有している。そして、上述した温度制御システムにおける電子棚札端末１に表示する情報を変更する処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００６９】
１  電子棚札端末
２  ＥＳＬサーバ
３  中継機
４  空調装置
５  ＰＯＳサーバ
１１  制御部
１２  表示部
１４  温度計測部
１６  無線通信部
２１  制御部
２２  通信部
２３  空調コントロール信号制御部
２４  計時部
２５  記憶部
２５１  空調影響テーブル
２５４  棚札対応レイアウトテーブル（対応テーブル）
２５５  エリア対応棚札テーブル（対応テーブル）
２５６  エリア温度テーブル
【図１】
2011169485.tif 000003
【図２】
2011169485.tif 000004
【図３】
2011169485.tif 000005
【図４】
2011169485.tif 000006
【図５】
2011169485.tif 000007
【図６】
2011169485.tif 000008
【図７】
2011169485.tif 000009
【図８】
2011169485.tif 000010
【図９】
2011169485.tif 000011
【図１０】
2011169485.tif 000012
【図１１】
2011169485.tif 000013
【図１２】
2011169485.tif 000014
【図１３】
2011169485.tif 000015
【図１４】
2011169485.tif 000016
【図１５】
2011169485.tif 000017
【図１６】
2011169485.tif 000018
【図１７】
2011169485.tif 000019
【図１８】
2011169485.tif 000020
【図１９】
2011169485.tif 000021
【図２０】
2011169485.tif 000022
【図２１】
2011169485.tif 000023
【図２２】
2011169485.tif 000024